(57)【要約】【課題】周波数選択板の特性（周波数選択性）を能動的に変化させること。【解決手段】特定の周波数の電波を反射又は透過させる例えばクロスダイポール型の素子パターンが設けられた周波数選択板主体１と、この周波数選択板主体１に積層された電波透過性を有する誘電体層と、この誘電体層の厚さを可変させる誘電体可変機構３とを備えること。例えば、誘電体層として電波透過性を有する積層板２を設け、誘電体可変機構３に、その積層板２を周波数選択板主体１から離間させる機構と、この離間させた積層板２を周波数選択板主体１に近づける又は密着させる機構とを設ける。【選択図】        図２
2005252566.tif 000002
【特許請求の範囲】
【請求項１】
特定の周波数の電波を反射又は透過させる素子パターンが設けられた周波数選択板主体と、該周波数選択板主体に積層された電波透過性を有する誘電体層と、該誘電体層の厚さを可変させる誘電体可変機構とを備えたことを特徴とする周波数選択板。
【請求項２】
前記誘電体層として電波透過性を有する積層板を設け、前記誘電体可変機構に、前記積層板を前記周波数選択板主体から離間させる機構と、該離間させた積層板を前記周波数選択板主体に近づける又は密着させる機構とを設けたことを特徴とする請求項１記載の周波数選択板。
【請求項３】
前記誘電体層は、電波透過性を有する伸縮可能な容器で構成し、
前記誘電体可変機構に、前記容器内に液状若しくはゲル状の又は気体の誘電体を出し入れし得る機構を設けたことを特徴とする請求項１記載の周波数選択板。
【請求項４】
前記誘電体層が所望の周波数選択性に応じた厚さとなるように前記誘電体可変機構の動作を制御する制御装置を設けたことを特徴とする請求項１，２又は３に記載の周波数選択板。
【発明の詳細な説明】
【技術分野】
【０００１】
本発明は、特定の周波数の電波を反射又は透過する周波数選択板（ＦＳＳ：Ｆｒｅｑｕｅｎｃｙ  Ｓｅｌｅｃｔｉｖｅ  Ｓｕｒｆａｃｅ）に係り、特に、その周波数選択板の特性（電波透過性や反射特性等の周波数選択性）を能動的に変化させ得る周波数選択板に関する。
【背景技術】
【０００２】
近年、例えば防衛関連技術において戦闘機や戦艦等の存在を他から確認されないようにする「ステルス化技術」の必要性が叫ばれており、かかるステルス化技術の一つとして周波数選択板が用いられている。
【０００３】
ここで、この周波数選択板は、ある一定の導体（導体パッチ又は導体スロット）の素子パターンを一定の周期で複数配列したＮ×Ｍ（Ｎ，Ｍ＝１，２，３，…）のセルからなる周期構造膜であり、特定の周波数の電波のみを反射又は透過させる特性（周波数選択性）を備えている。
【０００４】
例えば、導体パッチで構成したパッチ型構造の周波数選択板は、特定の周波数の電波のみを反射するバンドストップフィルタとして作用し、導体スロットで構成したスロット型構造の周波数選択板は特定の周波数の電波のみを透過するバンドパスフィルタとして作用する。
【０００５】
これが為、所望の周波数選択性を備えた周波数選択板が組み込まれることによって、例えば、レドームやレーダ断面積（ＲＣＳ：Ｒａｄａｒ  Ｃｒｏｓｓ  Ｓｅｃｔｉｏｎ）低減用電磁窓等の物体（周波数選択板組込物体）のステルス化を有効に達成し得る。
【０００６】
ここで、一般に、周波数選択板は、ダイポール型，クロスダイポール型，トリポール型，円形リング型又は正方形ループ型等のある一定の単純形状からなる導体パッチ又は導体スロットの素子パターンが複数配列された導電パターンを備えている。
【０００７】
【特許文献１】特開２０００−６８６７５号公報
【特許文献２】特開２０００−６８６７７号公報
【特許文献３】特開２００１−５３４８４号公報
【特許文献４】特開２００３−２９８３０８号公報
【発明の開示】
【発明が解決しようとする課題】
【０００８】
ここで、周波数選択板の特性（周波数選択性）を適宜変化させることができれば、使用される環境や要求に応じた周波数選択性を一枚の周波数選択板で実現し得る。
【０００９】
しかしながら、上記従来の周波数選択板は、設計、製造時に設定された特性（周波数選択性）を能動的に変化させることができず、複数の周波数に対応させる為には特性の異なる複数枚の周波数選択板を用意したり、一枚の周波数選択板に複数の特性を持たせたりしなければならなかった。また、かかる従来の対応を採ったとしても、何れにせよ予め固定された特性であるが為に、臨機応変に様々な使用環境等に対応することはできない。
【００１０】
そこで、本発明は、かかる従来例の有する不都合を改善し、周波数選択板の特性（周波数選択性）を能動的に変化させ得る周波数選択板を提供することを、その目的とする。
【課題を解決するための手段】
【００１１】
上記目的を達成する為、請求項１記載の発明では、特定の周波数の電波を反射又は透過させる素子パターンが設けられた周波数選択板主体と、この周波数選択板主体に積層された電波透過性を有する誘電体層と、この誘電体層の厚さを可変させる誘電体可変機構とを備えている。
【００１２】
また、上記目的を達成する為、請求項２記載の発明では、上記請求項１記載の周波数選択板において、前記誘電体層として電波透過性を有する積層板を設け、前記誘電体可変機構に、その積層板を周波数選択板主体から離間させる機構と、その離間させた積層板を周波数選択板主体に近づける又は密着させる機構とを設けている。
【００１３】
また、上記目的を達成する為、請求項３記載の発明では、上記請求項１記載の周波数選択板において、前記誘電体層は、電波透過性を有する伸縮可能な容器で構成し、前記誘電体可変機構に、その容器内に液状若しくはゲル状の又は気体の誘電体を出し入れし得る機構を設けている。
【００１４】
また、上記目的を達成する為、請求項４記載の発明では、上記請求項１，２又は３に記載の周波数選択板において、前記誘電体層が所望の周波数選択性に応じた厚さとなるように誘電体可変機構の動作を制御する制御装置を設けている。
【発明の効果】
【００１５】
本発明に係る周波数選択板によれば、周波数選択板の特性（周波数選択性）を適宜使用環境等に応じて能動的に変化させることができる。
【発明を実施するための最良の形態】
【００１６】
以下に、本発明に係る周波数選択板の実施例を図面に基づいて詳細に説明する。尚、この実施例によりこの発明が限定されるものではない。
【実施例１】
【００１７】
本発明に係る周波数選択板の実施例１を図１〜図６に基づいて説明する。
【００１８】
図１の符号１０は本実施例１の周波数選択板を示す。この周波数選択板１０は、図１及び図２に示す如く、例えば銅線等の金属線からなる複数のクロスダイポール型の素子パターンが格子状に配置された周波数選択板主体１と、この周波数選択板主体１の一方の面に積層された少なくとも一枚の電波透過性を有する積層板２とを備えている。
【００１９】
この積層板２は、例えばプラスチック等の高分子材料、ＧＦＲＰ等の繊維強化複合材料やガラス等の無機質材料等からなる誘電体であり、周波数選択板主体１と略同等の大きさに成形されている。以下、この積層板２を「誘電体２」という。
【００２０】
また、本実施例１の周波数選択板１０には、上記誘電体２を周波数選択板主体１から離間させる、又は離間している誘電体２を周波数選択板主体１に近づける積層板可変機構（以下、「誘電体可変機構」という。）３が設けられている。
【００２１】
この誘電体可変機構３は、例えば電動モータを駆動源とし、その駆動力が歯車や回転軸、カム等の駆動力伝達機構を介して伝達されることにより誘電体２を移動させるものである。尚、この誘電体可変機構３の駆動源は上記の電動モータに限定するものではなく、また、その駆動力の伝達機構についても何れの態様のものを用いてもよい。
【００２２】
例えば、本実施例１の誘電体可変機構３は、図３に示す如く、周波数選択板主体１との平行状態を保ちつつ誘電体２を垂直移動させる。
【００２３】
このように誘電体２が周波数選択板主体１との密着状態から垂直移動することによって、周波数選択板主体１との間に空気層（誘電率εair＝１）が介在することとなり、誘電体２と空気層とからなる誘電体層が形成される。
【００２４】
この誘電体層においては、誘電体２の移動量に応じて空気層の厚さｔairが変化するので見かけの誘電率が変わる。これが為、本実施例１の周波数選択板１０は、誘電体２の移動量に応じて特性（周波数選択性）を変化させることができる。
【００２５】
即ち、本実施例１の周波数選択板１０は、誘電体可変機構３により、誘電体２と周波数選択板主体１との密着位置から最大離間位置までの間において誘電体層の見かけの誘電率を任意に変化させることができ、その変化に応じて特性（周波数選択性）を変化させ得るものである。
【００２６】
そこで、本実施例１にあっては、所望の特性（周波数選択性）となる上記見かけの誘電率を適宜得る為に、上記誘電体可変機構３の動作を制御する図１及び図２に示す制御装置４が設けられている。
【００２７】
この制御装置４は、誘電体可変機構３に対して駆動のＯＮ／ＯＦＦ制御や移動方向の正逆転制御等を行うことで、誘電体可変機構３による誘電体２の移動量（周波数選択板主体１との離間位置）を制御し、周波数選択板１０の特性（周波数選択性）を所望のものに能動的に変化させることができる。
【００２８】
ここで、上述した本実施例１の周波数選択板１０を製作し、その特性（周波数選択性）について検証した。
【００２９】
先ず、セル寸法１５．１ｍｍ×１５．１ｍｍの上記クロスダイポール型の素子パターンが格子状に配置された周波数選択板主体１（１０ＧＨｚで共振となるよう設定）と、この周波数選択板主体１と誘電体２（誘電率ε＝１０、厚さｔ＝１ｍｍ）との間における図４に示す空気層の厚さｔairを変えた複数のタイプの周波数選択板１０（タイプＡ〜タイプＤ）とを比較して、夫々についての共振周波数を見てみた。
【００３０】
上記タイプＡの周波数選択板１０は、周波数選択板主体１と誘電体２とを密着させたものであり、空気層が介在しない（ｔair＝０ｍｍ）ものである。また、上記タイプＢの周波数選択板１０は、空気層の厚さがｔair＝０．５ｍｍとなるように誘電体２を垂直移動させたものである。また、上記タイプＣの周波数選択板１０は空気層の厚さがｔair＝１ｍｍとなるように誘電体２を垂直移動させ、上記タイプＤの周波数選択板１０は空気層の厚さがｔair＝５ｍｍとなるように誘電体２を垂直移動させたものである。
【００３１】
これらの検証結果を図５に示す。この検証結果によれば、タイプＡの周波数選択板１０は、周波数選択板主体１のみの場合と比して共振周波数を５ＧＨｚまで低減させることができる。尚、理論的には、誘電体層の厚さによって最大ε-1/2まで共振周波数を低減させる、例えばこのタイプＡの場合は約１／３程度まで低減させることが可能である。
【００３２】
また、タイプＢの周波数選択板１０は、周波数選択板主体１のみの場合と比して共振周波数を８．３ＧＨｚまで低減させることができ、タイプＣの周波数選択板１０は、周波数選択板主体１のみの場合と比して共振周波数を９ＧＨｚまで低減させることができる。
【００３３】
ここで、タイプＤの周波数選択板１０は、周波数選択板主体１のみの場合と同様の共振周波数（１０ＧＨｚ）になる。
【００３４】
以上の結果から、誘電率ε＝１０、厚さｔ＝１ｍｍの誘電体２を垂直移動させることにより、この周波数選択板１０の共振周波数を５〜１０ＧＨｚの範囲内で任意に変化させ得ることが判る。
【００３５】
尚、理論的には、周波数選択板主体１の共振周波数の設定値をｆoとすると、「ｆo／ε-1/2〜ｆo」の範囲内で周波数選択板１０の共振周波数を変化させることができる。
【００３６】
次に、１０ＧＨｚで共振となるよう設定された上記周波数選択板主体１と、この周波数選択板主体１と誘電率ε＝４．５、厚さｔ＝１ｍｍの誘電体２との間における空気層の厚さｔairを変えた複数のタイプの周波数選択板１０（タイプＡ〜タイプＤ）とを比較して、夫々についての共振周波数を見てみた。
【００３７】
上記タイプＡの周波数選択板１０は、周波数選択板主体１と誘電体２とを密着させたものであり、空気層が介在しない（ｔair＝０ｍｍ）ものである。また、上記タイプＢの周波数選択板１０は、空気層の厚さがｔair＝０．５ｍｍとなるように誘電体２を垂直移動させたものである。また、上記タイプＣの周波数選択板１０は空気層の厚さがｔair＝１ｍｍとなるように誘電体２を垂直移動させ、上記タイプＤの周波数選択板１０は空気層の厚さがｔair＝２ｍｍとなるように誘電体２を垂直移動させたものである。
【００３８】
これらの検証結果を図６に示す。この検証結果によれば、タイプＡの周波数選択板１０は、周波数選択板主体１のみの場合と比して共振周波数を６．６ＧＨｚまで低減させることができる。
【００３９】
また、タイプＢの周波数選択板１０は周波数選択板主体１のみの場合と比して共振周波数を９ＧＨｚまで低減させることができ、タイプＣの周波数選択板１０は共振周波数を９．５ＧＨｚまで、タイプＤの周波数選択板１０は共振周波数を９．９ＧＨｚまで低減させることができる。
【００４０】
以上の結果から、誘電率ε＝４．５、厚さｔ＝１ｍｍの誘電体２を垂直移動させることにより、この周波数選択板１０の共振周波数を６．６〜９．９ＧＨｚの範囲内で任意に変化させ得ることが判る。
【００４１】
ここで、これら図５及び図６の結果からも明らかなように、同等の厚さの誘電体２で共振周波数に幅を持たせたいのであれば、誘電率の大きい誘電体２を使用すればよい。
【００４２】
以上示した如く、本実施例１によれば、誘電体２を垂直移動させることによって周波数選択板１０の共振周波数を能動的に変化させることができるので、その特性（周波数選択性）の帯域幅を能動的に変化させることが可能となる。また、偏波特性や入射角特性に異方性が出ないので実用上好適である。
【００４３】
このようなことから、本実施例１の周波数選択板１０は、ステルス用途におけるステルス性能の向上や通信／放送空中線のマルチバンド化が可能になる。
【００４４】
例えば、ステルス用途においては、周波数を自由に変えられるレーダと組み合わせて適用しているレーダ周波数に合わせて周波数選択板１０を具備する窓の特性（周波数選択性）を変えることができる。かかる場合、本実施例１の制御装置４をレーダ等の送受信系と連動して動作するが如く構成する。
【００４５】
その一例として、制御装置４は、レーダ等の送受信系が相手方の電波の周波数シフトを検知し、その周波数のシフト量の情報を送受信系から受け取ると、そのシフト量に応じた第１〜第８の分割誘電体２ａ〜２ｈの可変動作を誘電体可変機構３に行わせる。このようにしてレーダとの連動を図ることにより、有効なステルス性能を得ることができる。
【００４６】
また他の例として、周波数選択板１０を有する窓やレーダ等の送受信機が具備された航空機において自機の周波数変更に連動させることも可能である。即ち、その送受信機が周波数ｆ１で動作しているものと仮定すると、窓は、周波数選択板１０の第１〜第８の分割誘電体２ａ〜２ｈの状態によって周波数ｆ１の電波を透過させる透過窓となっている。かかる状態において、自機の制御機能や操縦者の操作により送受信機の周波数がｆ２へと変更された場合、その送受信機から周波数のシフト量の情報を受け取った制御装置４は、そのシフト量に応じて第１〜第８の分割誘電体２ａ〜２ｈの可変動作を誘電体可変機構３に行わせる。これにより、周波数ｆ２の電波を透過させる透過窓へと特性が変更される。
【００４７】
また、同じくステルス用途に用いられるエンクローズドマスト等は予め脅威となる周波数を想定した上で設計、製造を行うが、このエンクローズドマスト等に本発明に係る周波数選択板１０を適用することによって、想定外の周波数にも対応することが可能になる。ここで、エンクローズドマストとは、周波数選択板等を使用した角錘台等の低ＲＣＳ（Ｒａｄａｒ  Ｃｒｏｓｓ  Ｓｅｃｔｉｏｎ、レーダ断面積）形状のレドームのことを云う。
【００４８】
また、通信／放送空中線においては、従来、周波数毎にフィールドを分け、且つ周波数選択板を有するサブリフレクタを経由して主フレクタを共有する手法が多く採用されているが、時間分割可能な場合には、サブリフレクタに本発明に係る周波数選択板１０を適用することによって、広帯域フィールドを使用しながらマルチバンド化を図ることが可能となる。
【００４９】
尚、本実施例１の周波数選択板１０においては誘電体２の移動により空気層が生成されるが、この周波数選択板１０をアルゴンや窒素等の気体が封入された空間内に配設し、その空間内で誘電体２の移動を行って気体層を生成してもよい。ここで、空気や酸素，アルゴン等の気体の誘電率εgは一般にεg＝１であるので、かかる周波数選択板１０についても上述した空気層の場合と同様の特性（周波数選択性）を得ることができる。
【実施例２】
【００５０】
次に、本発明に係る周波数選択板の実施例２を図７に基づいて説明する。
【００５１】
本実施例２の周波数選択板２０は、前述した実施例１の周波数選択板１０と同様に、複数のクロスダイポール型の素子パターンが格子状に配置された周波数選択板主体１と、この周波数選択板主体１に積層された誘電体２とで構成され、この誘電体２を周波数選択板主体１から離間させる、又は離間している誘電体２を周波数選択板主体１に近づける誘電体可変機構３（図示略）及び当該誘電体可変機構３の動作を制御する制御装置４（図示略）を備えている。
【００５２】
ここで、本実施例２は、誘電体可変機構３及び制御装置４が誘電体２を傾かせて垂直移動させる点において実施例１の周波数選択板１０とは異なる。例えば、図７に示す如く、紙面左側の移動量を少なく、紙面右側の移動量を多く移動させる。
【００５３】
このような本実施例２にあっては、誘電体２の傾きにより周波数選択板主体１との間における誘電体層の厚さが部位毎に異なるので、各部位によって誘電体層の見かけの誘電率が異なることになる。これが為、この周波数選択板２０においては、その特性（周波数選択性）の帯域幅を能動的に変化させつつ、部分的に所望の特性（周波数選択性）の帯域を作り出すことが可能になる。
【００５４】
また、実施例１の平行な垂直移動と組み合わせることによって、より広範囲な特性（周波数選択性）の周波数選択板を得ることができる。
【実施例３】
【００５５】
次に、本発明に係る周波数選択板の実施例３を図８〜図１３に基づいて説明する。
【００５６】
本実施例３の周波数選択板３０は、図８及び図９に示す如く、例えば銅線等の金属線からなる複数のクロスダイポール型の素子パターンが格子状に配置された周波数選択板主体１と、この周波数選択板主体１の一方の面に積層された誘電体層２２と、この誘電体層２２の厚さを図１０に示す如く変化させる誘電体厚さ可変機構２３とで構成される。
【００５７】
ここで、本実施例３の誘電体層２２は、電波透過性を有する伸縮可能な図１１に示す容器２２ａで構成され、この容器２２ａ内に液状若しくはゲル状の又は気体の誘電体２２ｂを出し入れする又はその流入量を調節することによって厚さが可変する。
【００５８】
例えば、本実施例３の容器２２ａとしては、誘電体２２ｂの出し入れが可能な誘電体出入口２２ａ1を有し、全体が伸縮し得るエラストマ製の袋状の密閉容器を例示する。
【００５９】
また、上記誘電体厚さ可変機構２３は、その誘電体２２ｂの出し入れを行うものであって、例えば図１１に示す如く、容器２２ａの誘電体出入口２２ａ1に連通する誘電体２２ｂの貯留部２３ａと、誘電体２２ｂを貯留部２３ａから容器２２ａ内に送出する又は容器２２ａ内から貯留部２３ａに回収する誘電体送出／回収部２３ｂとを備えている。例えば、その誘電体送出／回収部２３ｂは、電動ポンプや油圧ポンプ等を動力源とする。
【００６０】
本実施例１にあっては、この誘電体厚さ可変機構２３が作動することによって、容器２２ａ内に誘電体２２ｂが存在しない状態（図１２の上図）から容器２２ａ内に誘電体２２ｂが充満している状態（図１２の下図）までの間において、誘電体層２２の厚さが変化する。
【００６１】
この誘電体層２２においてはその厚さの変化量に応じて見かけの誘電率が変わるので、本実施例１の周波数選択板３０は、容器２２ａ内における誘電体２２ｂの注入量に応じて特性（周波数選択性）を変化させることができる。
【００６２】
そこで、本実施例３にあっては、所望の特性（周波数選択性）となる上記見かけの誘電率を適宜得る為に、上記誘電体厚さ可変機構２３の動作を制御する図８及び図９に示す制御装置２４が設けられている。
【００６３】
この制御装置２４は、誘電体厚さ可変機構２３の誘電体送出／回収部２３ｂに対して駆動のＯＮ／ＯＦＦ制御や誘電体２２ｂの送出又は回収の切替制御等を行うことで、誘電体厚さ可変機構２３による誘電体層２２の厚さを制御し、周波数選択板３０の特性（周波数選択性）を所望のものに能動的に変化させることができる。
【００６４】
ここで、上述した本実施例３の周波数選択板３０を製作し、その特性（周波数選択性）について検証した。
【００６５】
ここでは、セル寸法１５．１ｍｍ×１５．１ｍｍの上記クロスダイポール型の素子パターンが格子状に配置された周波数選択板主体１（１０ＧＨｚで共振となるよう設定）と、この周波数選択板主体１上の誘電体層２２の厚さを変えた複数のタイプの周波数選択板３０（タイプＡ〜タイプＤ）とを比較して、夫々についての共振周波数を見てみた。
【００６６】
上記タイプＡ〜タイプＤの周波数選択板３０は、エラストマ製の容器２２ａ（誘電率ε＝２．２、厚さ０．２５ｍｍ）に誘電体２２ｂとしてのケロシン（誘電率ε＝２．８）を注入し、この誘電体２２ｂの厚さを夫々０．０１ｍｍ，１ｍｍ，５ｍｍ，１０ｍｍに設定したものである。
【００６７】
これらの検証結果を図１３に示す。この検証結果によれば、タイプＡの周波数選択板３０は、周波数選択板主体１のみの場合と比して共振周波数を８．８ＧＨｚまで低減させることができる。また、更に誘電体２２ｂの厚さを増加させたタイプＢの周波数選択板３０においては共振周波数を７．８ＧＨｚまで、タイプＣの周波数選択板３０においては共振周波数を７．５ＧＨｚまで、タイプＤの周波数選択板３０においては共振周波数を７．４ＧＨｚまで低減させることができる。
【００６８】
以上の結果から、この周波数選択板３０は、誘電体２２ｂを容器２２ａの中に注入し、その厚さを変化させることによって、共振周波数を８．８〜７．８ＧＨｚの範囲内で任意に変化させ得ることが判る。
【００６９】
以上示した如く、本実施例３によれば、誘電体２２ｂの出し入れにより誘電体層２２の厚さを変化させて、誘電体層２２における見かけの誘電率を変えることができる。そして、これにより周波数選択板３０の共振周波数を能動的に変化させ、その特性（周波数選択性）の帯域幅の能動的な変化を可能にする。
【００７０】
ここで、本実施例３にあってはエラストマ製の袋状の容器２２ａを例示したが、その容器２２ａは、必ずしもその全体が伸縮する必要は無く、少なくとも側面が伸縮し得るものであってもよい。例えば、厚さ等の形状を保持し得る硬質の材料（プラスチック等の高分子材料、ＦＲＰ等の炭素強化繊維材料やガラス等の無機質材料等からなる誘電体）で上面（電波入射面）及び下面（周波数選択板主体１との密着面）を成形し、これら上面と下面とを繋ぎ袋状にする側面を伸縮可能なエラストマ等の材料で成形してもよい。
【００７１】
また、その容器２２ａは、必ずしも袋状のものである必要は無く、下方側が開口されたもの（即ち、上面及び側面からなり、下面を有しない容器）であってもよい。
【００７２】
尚、上記各実施例１〜３においては素子パターンとしてクロスダイポール型の周波数選択板主体１を例示したが、その素子パターンとしては、図１４に示す如きダイポール型，円形リング型，円形，矩形リング型，矩形やエルサレムクロス型等の他の形状のものであってもよく、また、パッチ型であってもスロット型であってもよい。
【産業上の利用可能性】
【００７３】
以上のように、本発明に係る周波数選択板は、その特性（周波数選択性）に幅を持たせるのに有用であり、特に、その特性（周波数選択性）の帯域幅を能動的に変化させるのに適している。
【図面の簡単な説明】
【００７４】
【図１】本発明に係る周波数選択板の実施例１の構成を上面から見た上面概念図である。
【図２】図１に示す周波数選択板を側面から見た側面概念図である。
【図３】実施例１の周波数選択板における誘電体の移動動作を例示した図である。
【図４】実施例１における共振周波数の測定実験に用いた周波数選択板を説明する図である。
【図５】実施例１における共振周波数の測定実験の結果を示す図であって、誘電率ε＝１０の誘電体を具備する周波数選択板についての検証結果を示す図である。
【図６】実施例１における共振周波数の測定実験の結果を示す図であって、誘電率ε＝４．５の誘電体を具備する周波数選択板についての検証結果を示す図である。
【図７】本発明に係る周波数選択板の実施例２における誘電体の移動動作を例示した図である。
【図８】本発明に係る周波数選択板の実施例３の構成を上面から見た上面概念図である。
【図９】図８に示す周波数選択板を側面から見た側面概念図である。
【図１０】実施例３の周波数選択板における誘電体層の動作を例示した図である。
【図１１】実施例３の周波数選択板における具体的な構成を側面から見た断面図である。
【図１２】実施例３の周波数選択板において、容器内が空の状態と当該容器内に誘電体を注入した状態とを示す図である。
【図１３】実施例３における共振周波数の測定実験の結果を示す図である。
【図１４】本発明に係る周波数選択板に適用し得る素子パターンの他の例を示す図である。
【符号の説明】
【００７５】
１  周波数選択板主体
２  積層板（誘電体）
３  誘電体可変機構
４  制御装置
１０，２０，３０  周波数選択板
２２  誘電体層
２２ａ  容器
２２ｂ  誘電体
２３  誘電体厚さ可変機構
２３ａ  貯留部
２３ｂ  誘電体送出／回収部
２４  制御装置
【図１】
2005252566.tif 000003
【図２】
2005252566.tif 000004
【図３】
2005252566.tif 000005
【図４】
2005252566.tif 000006
【図５】
2005252566.tif 000007
【図６】
2005252566.tif 000008
【図７】
2005252566.tif 000009
【図８】
2005252566.tif 000010
【図９】
2005252566.tif 000011
【図１０】
2005252566.tif 000012
【図１１】
2005252566.tif 000013
【図１２】
2005252566.tif 000014
【図１３】
2005252566.tif 000015
【図１４】
2005252566.tif 000016